(57)【要約】      （修正有）【課題】主としてプラスイオンとマイナスイオンとを交互に発生させることにより、毛髪の酸性度を正常な状態に戻すイオンバランス機能を有するヘアアイロンを提供する。【解決手段】ヘアアイロンは、互いに一端が回動可能に連結された一対のアーム部材と、アーム部材が当接する部分に発熱部２０を有するヘアアイロンにおいて、下部アーム部材１０に、イオンを発生するイオン発生手段と、イオン発生手段に電力を供給する電源手段４０を有し、アーム部材の発熱部がある両側面にスリット３１ａ、３１ｂ、３２ａ、３２ｂを設け、スリット内部に、イオン発生手段としてプラスイオンとマイナスイオンとをそれぞれ各別に発生させるイオン発生器３０を設けて、それぞれのスリットからプラスイオン又はマイナスイオンが放出するように構成されている。【選択図】図４
0003217491.tif 000002
【実用新案登録請求の範囲】
【請求項１】
互いに一端が回動可能に連結された一対のアーム部材と、
当該アーム部材が当接する部分に発熱部を有するヘアアイロンにおいて、
当該アーム部材の一方に、イオンを発生するイオン発生手段と、イオン発生手段に電力を供給する電源手段を有し、
当該アーム部材の発熱部がある両側面にスリットを設け、
当該スリット内部に、イオン発生手段としてプラスイオンとマイナスイオンとをそれぞれ各別に発生させるイオン発生器を設けて、それぞれのスリットからプラスイオン又はマイナスイオンが放出するように構成されている
ことを特徴とするヘアアイロン。
【請求項２】
前記アーム部材の発熱部がある両側面に設けた前記スリットは、それぞれの面において複数設けられている
ことを特徴とする請求項１に記載のヘアアイロン。
【請求項３】
プラスイオンとマイナスイオンを同時又は交互に発生させる構成を備えている
ことを特徴とする請求項１又は２に記載のヘアアイロン。
【請求項４】
イオンの付与により毛髪の酸性度をｐＨ４．５〜５．５の範囲内又は前記数値範囲に近付ける
ことを特徴とする請求項１〜３のいずれか１項に記載のヘアアイロン。
【請求項５】
プラスイオンとマイナスイオンを交互に発生させ、かつ、プラスイオンの発生時間をマイナスイオンの発生時間よりも長くなる構成を備えている
ことを特徴とする請求項１〜４のいずれか１項に記載のヘアアイロン。
【請求項６】
プラスイオンとマイナスイオンを交互に発生させ、かつ、マイナスイオンの発生時間をプラスイオンの発生時間よりも長くなる構成を備えている
ことを特徴とする請求項１〜４のいずれか１項に記載のヘアアイロン。
【請求項７】
前記イオン発生器が、絶縁体を挟んで、その上下にＴ字型の板状の放電電極とＬ字型の板状の放電電極とを、その順序又は逆の順序に配設してなる
ことを特徴とする請求項１〜６のいずれか１項に記載のヘアアイロン。
【請求項８】
前記一対のアーム部材の一方において、当該アーム部材を構成するアームケース内にヒータを設け、前記イオン発生器をヒータとアームケースとの間に配した
ことを特徴とする請求項１〜７のいずれか１項に記載のヘアアイロン。
【請求項９】
前記アームケースの両側面に、その長手方向の前後に複数のスリットを設け、
前記イオン発生器の放電電極が、当該スリットに対面するように設けた
ことを特徴とする請求項８に記載のヘアアイロン。
【請求項１０】
イオン発生出段への電力供給と電力遮断との切替スイッチを備え、イオン発生出段へ電力供給されて左右に設けられた前後方向のスリットからプラスイオンとマイナスイオンとが交互に放出すると共にヒータによりアーム部材が加熱される場合と、イオン発生出段への電力供給が遮断されてイオンが発生せずにヒータによりアーム部材が加熱される場合とに切り替えられるようにした
ことを特徴とする請求項８又は９に記載のヘアアイロン。
【考案の詳細な説明】
【技術分野】
【０００１】
本考案は、毛髪を正常な酸性度に戻すためのヘアアイロンに関し、特に毛髪の乾燥及び毛髪をカール又はストレートにセットをするイオンバランス機能を有するヘアアイロンに関する。
【背景技術】
【０００２】
毛髪に対してブラシや櫛によりブラッシングを行うと毛髪に静電気が発生し、また、この静電気が毛髪のキューティクルに影響を与え、毛髪にダメージを与える問題がある。
【０００３】
これを解消するために、従来より、マイナスイオンを毛髪に付与し、マイナスイオンを毛髪内部まで浸透させて毛髪をさらさらにすることが発案されている。
【０００４】
しかしながら、静電気にはプラスとマイナスとがあるため、マイナスイオンのみを毛髪に付与することは適切でない場合がある。
【０００５】
そこで、下記特許文献１に記載のヘアアイロンが開発された。当該ヘアアイロンは、使い勝手がよくかつ毛髪の健康状態を改善することができるヘアアイロンを提供することを目的として、互いに一端が回動可能に連結された一対のアーム部と、これら２つのアーム部に発熱部を有するヘアアイロンにおいて、マイナスイオンを発生するイオン発生手段と、オゾンを発生するオゾン発生手段と、イオン発生手段および前記オゾン発生手段に電力を供給する電源回路とを有し、前記アーム部材の一方の略中央には、内部が空洞の凸部が形成された構造を有するものである。
【先行技術文献】
【特許文献】
【０００６】
【特許文献１】特開２００３−９３１３２号公報
【考案の概要】
【考案が解決しようとする課題】
【０００７】
しかしながら、上記特許文献１に示されるヘアアイロンは、マイナスイオンのみが発生するものである。したがって、毛髪がプラス又はマイナスのいずれに帯電しているかを使用者が判断してマイナスイオンの付与操作をする必要があり、マイナスに帯電しているにも拘わらずマイナスイオンを付与したり、プラスに帯電している場合にマイナスイオンを付与し過ぎたりして、毛髪の酸性度が正常な範囲よりも酸性化してしまって毛髪へ悪影響を及ぼすおそれがある。
【０００８】
本考案は、主としてプラスイオンとマイナスイオンとを交互に発生させることにより、毛髪の酸性度を正常な状態に戻すヘアアイロンを提供することを目的とするものである。
【課題を解決するための手段】
【０００９】
本考案の請求項１に係るヘアアイロンは、互いに一端が回動可能に連結された一対のアーム部材と、当該アーム部材が当接する部分に発熱部を有するヘアアイロンにおいて、当該アーム部材の一方に、イオンを発生するイオン発生手段と、イオン発生手段に電力を供給する電源手段を有し、当該アーム部材の発熱部がある両側面にスリットを設け、当該スリット内部に、イオン発生手段としてプラスイオンとマイナスイオンとをそれぞれ各別に発生させるイオン発生器を設けて、それぞれのスリットからプラスイオン又はマイナスイオンが放出するように構成されていることを特徴とする。
【００１０】
本考案の請求項２に係るヘアアイロンは、上記請求項１に係るヘアアイロンの構成に加えて、前記アーム部材の発熱部がある両側面に設けた前記スリットは、それぞれの面において複数設けられていることを特徴とする。
【００１１】
本考案の請求項３に係るヘアアイロンは、上記請求項１又は２に係るヘアアイロンの構成に加えて、プラスイオンとマイナスイオンを同時又は交互に発生させる構成を備えていることを特徴とする。
【００１２】
本考案の請求項４に係るヘアアイロンは、上記請求項１〜３のいずれか１項に係るヘアアイロンの構成に加えて、イオンの付与により毛髪の酸性度をｐＨ４．５〜５．５の範囲内又は前記数値範囲に近付けることを特徴とする。
【００１３】
本考案の請求項５に係るヘアアイロンは、上記請求項１〜４のいずれか１項に係るヘアアイロンの構成に加えて、プラスイオンとマイナスイオンを交互に発生させ、かつ、プラスイオンの発生時間をマイナスイオンの発生時間よりも長くなる構成を備えていることを特徴とする。
【００１４】
本考案の請求項６に係るヘアアイロンは、上記請求項１〜４のいずれか１項に係るヘアアイロンの構成に加えて、プラスイオンとマイナスイオンを交互に発生させ、かつ、マイナスイオンの発生時間をプラスイオンの発生時間よりも長くなる構成を備えていることを特徴とする。
【００１５】
本考案の請求項７に係るヘアアイロンは、上記請求項１〜６のいずれか１項に係るヘアアイロンの構成に加えて、前記イオン発生器が、絶縁体を挟んで、その上下にＴ字型の板状の放電電極とＬ字型の板状の放電電極とを、その順序又は逆の順序に配設してなることを特徴とする。
【００１６】
本考案の請求項８に係るヘアアイロンは、上記請求項１〜７のいずれか１項に係るヘアアイロンの構成に加えて、前記一対のアーム部材の一方において、当該アーム部材を構成するアームケース内にヒータを設け、前記イオン発生器をヒータとアームケースとの間に配したことを特徴とする。
【００１７】
本考案の請求項９に係るヘアアイロンは、上記請求項８に係るヘアアイロンの構成に加えて、前記アームケースの両側面に、その長手方向の前後に複数のスリットを設け、前記イオン発生器の放電電極が、当該スリットに対面するように設けたことを特徴とする。
【００１８】
本考案の請求項１０に係るヘアアイロンは、上記請求項８又は９に係るヘアアイロンの構成に加えて、イオン発生出段への電力供給と電力遮断との切替スイッチを備え、イオン発生出段へ電力供給されて左右に設けられた前後方向のスリットからプラスイオンとマイナスイオンとが交互に放出すると共にヒータによりアーム部材が加熱される場合と、イオン発生出段への電力供給を遮断されてイオンが発生せずにヒータによりアーム部材が加熱される場合とに切り替えられるようにしたことを特徴とする。
【００１９】
［本考案の作用］
毛髪にプラスイオン又はマイナスイオンを付与することの作用について、図１の説明図に基づいて説明する。
【００２０】
毛髪の正常なｐＨ値は、４．５〜５．５の弱酸性であるが、毛髪が乾燥した場合などには、図１において左半部側のｐＨ４．５以下のプラス電子が多くなる状態となり、シャンプー後の場合などには図１において右半部側のｐＨ５．５以上のマイナス電子が多くなる状態となる。
【００２１】
すなわち、乾燥した毛髪は、プラス電子に帯電して静電気が発生しやすくなっており、また、マイナスイオンだけを付与し続けるとマイナス電子に帯電し、マイナスイオンが毛髪に付着しにくくなるので、プラスイオンとマイナスイオンとを交互に付与することにより、プラスに偏った電荷を中和させることでプラスに帯電した毛髪に対してはマイナスイオン効果が高まる。
【００２２】
ヘアカラーやパーマあるいはシャンプー後の毛髪はアルカリ性に傾き、これに起因してキューティクルが開いて栄養分が外部に出やすくなっており、プラスイオンを付与することにより、キューティクルを引き締めてアルカリ性の毛髪を弱酸性に導き、逆に乾燥した毛髪は酸性に傾くため静電気が発生しがちになるので、マイナスイオンを付与することにより弱酸性に導く。
【００２３】
濡れたままの毛髪が摩擦などでこすれると、開いたキューティクルが傷つき、また、枝毛や切れ毛の原因となるため、プラスイオンを付与することにより、シャンプー後は水分で開いたキューティクルを引き締めた上でしっかりと乾燥させることで、毛髪が痛む原因となる生乾きを防ぎ、潤いのある艶やかな毛髪を保つことができる。
【００２４】
プラスイオン及びマイナスイオンの交互発生により、シャンプー後にしっかり乾かしながらアルカリ性に傾いた毛髪を弱酸性へ導き、プラスイオン及びマイナスイオンの交互発生により、マイナスイオン効果を高める。
【００２５】
プラスに帯電した毛髪に対してマイナスイオンを付与すると互いに引き合うことで中和が促進する。そのまま続けてマイナスイオンを付与するとマイナスに帯電してアルカリ性化してしまうが、本考案はプラスイオン及びマイナスイオンの交互発生により、マイナスに帯電した毛髪を中和させ、これを繰り返すことにより、毛髪のｐＨは正常値の４．５〜５．５の範囲に入るか若しくはそれに近似することになり、毛髪に対して最適な状態となる。
【考案の効果】
【００２６】
本考案に係るヘアアイロンは、プラスイオンとマイナスイオンとを同時又は交互に発生させることにより、毛髪の酸性度を正常な状態にすることが可能になる。
【図面の簡単な説明】
【００２７】
【図１】毛髪に対するプラスイオン又はマイナスイオンを付与することの作用を示す説明図である。
【図２】本考案の実施例１に係るヘアアイロンを示し、（ａ）は平面図であり、（ｂ）は背面図であり、（ｃ）は正面図である。
【図３】図１に示すヘアアイロンにおいて、上部アーム部材と下部アーム部材とを開いた状態を示す斜視図である。
【図４】図２に示すヘアアイロンにおける下部アーム部材の分解斜視図である。
【図５】図４に示す下部アーム部材における発熱体の全体図（ａ）とその分解斜視図（ｂ）である。
【図６】図４及び図５に示す発熱部におけるイオン発生手段の一部である放電極の分解斜視図である。
【図７】図２に示すヘアアイロンにおける上部アーム部材の分解斜視図である。
【図８】図７に示す上部アーム部材における発熱体の全体図（ａ）とその分解斜視図（ｂ）である。
【図９】本考案の実施例１に係るヘアアイロンにおいて、プラスイオンとマイナスイオンとが等時間交互に発生する場合の状態を示す印加電圧出力波形を示す図である。
【図１０】本考案の実施例１に係るヘアアイロンにおいて、パルス制御によりマイナスイオン発生器の作動時間が長くなるように構成した場合のプラスイオンとマイナスイオンとが交互に発生する状態を示す印加電圧出力波形を示す図である。
【図１１】本考案の実施例１に係るヘアアイロンにおいて、パルス制御によりプラスイオン発生器の作動時間が長くなるように構成した場合のプラスイオンとマイナスイオンとが交互に発生する状態を示す印加電圧出力波形を示す図である。
【考案を実施するための形態】
【００２８】
次に本考案の好適な実施例を添付の図面に基づいて詳細に説明する。
【実施例１】
【００２９】
図２において、Ａはヘアアイロンを示し、当該ヘアアイロンＡは、互いに一端が回動可能に連結された一対のアーム部材（下部アーム部材１０と上部アーム部材５０）とから構成され、一端が回動することにより、図３に示すように、下部アーム部材１０と上部アーム部材５０とが開くようになっている。この回動可能構造により、下部アーム部材１０と上部アーム部材５０との間に毛髪を挟み込んで閉じることにより、ヘアアイロンとしての機能を果たす。
【００３０】
また、当該ヘアアイロンＡは、下部アーム部材１０及び上部アーム部材５０の双方の当接面、すなわち向かい合っている面に、図４及び図７に示すように、発熱部である下部発熱体２０及び上部発熱体６０を備えている。
【００３１】
上記の回動可能構造及び発熱体の設置により、下部アーム部材１０と上部アーム部材５０との間に毛髪を挟み込んで閉じて、発熱体を加熱すれば、ヘアアイロンとしての機能を果たす。
【００３２】
さらに、当該アーム部材の一方、本実施例においては、図４〜図６に示すように、下部アーム部材１０にイオンを発生するイオン発生手段としてのイオン発生器３０と、イオン発生手段に電力を供給する電源手段４０とを備えており、下部アーム部材１０において下部発熱体２０が設置されている両側面にスリット３１ａ、３１ｂ、３２ａ、３２ｂが設けられていて、イオン発生器３０から発生するプラスイオンとマイナスイオンとを各スリットから放出するように構成されている。
【００３３】
図４は、下部アーム部材１０の分解斜視図（配線は不図示である。）であって、下部アーム部材１０は、その下部側に配置される下部アームケース１１と、下部アーム部材１０の上部側における後半部（回動部側）に配置される下部アームカバー１２と、下部アームカバー１２に連続して下部アーム部材１０の前半部（開閉側）に配置される前記下部発熱体２０とを備えている。
【００３４】
下部アームケース１１と下部アームカバー１２との間には、電源手段４０を構成するプラスイオンを発生させるためのプラスイオン発生用トランス４１ａとマイナスイオンを発生させるためのマイナスイオン発生用トランス４１ｂと、これらトランス４１ａ、４１ｂに電源を供給し、イオン発生器３０をコントロールする電源基板４２が内蔵され、下部アームケース１１と下部発熱体２０との間にはイオン発生器３０が配置されている。
【００３５】
図５に示すように、下部発熱体２０にはヒータ２１が内蔵されており、ヒータ２１が内蔵された下部発熱体２０の下方にイオン発生器３０が配置されている。イオン発生器３０は、図６に示すように、絶縁体（マイカ）３３を挟んで、絶縁体３３の上にＬ字型放電電極板３４が配設され、絶縁体３３の下にＴ字型放電電極板３５が配設されることにより構成されている。また、当該Ｌ字型放電電極板３４は、プラスイオンを発生する電極針３４ａ、３４ｂを備えており、プラスイオン発生用トランス４１ａと接続されている。Ｔ字型放電電極板３５は、マイナスイオンを発生する電極針３５ａ、３５ｂを備えており、マイナスイオン発生用のトランス４１ｂと接続されている。なお、Ｌ字型放電電極板をマイナスイオンを発生する電極針とし、Ｔ字型放電電極板をプラスイオンを発生する電極針としてもよく、また、Ｌ字型放電電極板とＴ字型放電電極板との上下を逆にしてもよい。
【００３６】
そして、これら電極針３４ａ、３４ｂ、３５ａ、３５ｂは、前記した下部アームケース１１の両側面における長手方向の前後に設けた複数のスリット３１ａ、３１ｂ、３２ａ、３２ｂに対面するように設置されている。
【００３７】
上記のように、プラスイオンを発生する電極針３４ａ、３４ｂと、プラスイオンを発生する電極針３４ａ、３４ｂを備え、これらの電極針と対面するようにスリット３１ａ、３１ｂ、３２ａ、３２ｂを設けているので、上部アーム部材５０により下部アーム部材１０に挟み込まれた毛髪に対して、スリット３１ａ、３１ｂ、３２ａ、３２ｂから放出されるプラスイオン又はマイナスイオンが放出されることになる。
【００３８】
図７は、上部アーム部材５０をの分解斜視図（配線は不図示である。）であって、上部アーム部材５０は、その上部側に配置される上部アームケース５１と、上部アーム部材５０の下部側における後半部（回動部側）に配置される上部アームカバー５２と、上部アームカバー５２に連続して上部アーム部材５０の前半部（開閉側）に配置される前述した上部発熱体６０が配設されている。
【００３９】
上部アームケース５１と上部アームカバー５２との間には、スイッチ基板５３が配設されており、当該スイッチ基板５３には、主電源のＯＮ／ＯＦＦの切替はもちろん、その他の電源手段４０、プラスイオン発生用トランス４１ａ及びマイナスイオン発生用のトランス４１ｂ、電源基板４２、下部発熱体２０及び上部発熱体６０等に対する電流供給の切替又は選択用のスイッチやＬＥＤなどの表示装置が設置されていて、スイッチ基板５３の上方に位置する上部アームケース５１の上面にスイッチ基板５３を操作するスイッチ操作部５４が設けられている。また、上部発熱体６０の上方には、上部アームケース５１に取り付けられる飾りカバー５５が配置されており、図８に示すように、上部発熱体６０にはヒータ６１が内蔵されている。
【００４０】
次に、本実施例におけるヘアアイロンＡの動作について説明する。
【００４１】
本実施例のヘアアイロンＡには、プラスイオン発生器（プラスイオンを発生する電極針３４ａ、３４ｂ、プラスイオン発生用トランス４１ａ）とマイナスイオン発生器（マイナスイオンを発生する電極針３５ａ、３５ｂ、マイナスイオン発生用のトランス４１ｂ）とを同時に又は交互に作動させる回路が組み込まれている。もちろん、マイナスイオンのみが発生するようにマイナスイオン発生器のみが作動する回路を組み込んでもよく、また両イオンとも発生停止する回路を組み込んでもよい。
【００４２】
当該回路においては、タイマー調整やパルス制御により、マイナスイオン発生器の作動時間及びプラスイオン発生器の作動時間の調整が可能となっており、等時間はもちろん、マイナスイオン発生器の作動時間がプラスイオン発生器の作動時間よりも長くなる場合と、プラスイオン発生器の作動時間がマイナスイオン発生器の作動時間よりも長くなる場合との切替も可能である。
【００４３】
そして、プラスイオン発生器の作動時間を長くした場合は、毛髪のキューティクルを引き締める効果がある。また、マイナスイオン発生器の作動時間を長くした場合は、毛髪に潤いを補給することができる。
【００４４】
また、前記の回路においては、ヒータ切替と共に、プラスイオン発生器とマイナスイオン発生器とを交互に作動させる時間を変化させることができる。さらに、イオン発生出段への電力供給と電力遮断との切替スイッチを備えているので、イオン発生出段へ電力供給されて左右に設けられた前後方向のスリット３１ａ、３１ｂ、３２ａ、３２ｂからプラスイオンとマイナスイオンとが交互に放出すると共にヒータ２１、６１により上下のアーム部材１０、５０が加熱される場合と、イオン発生出段への電力供給が遮断されてイオンが発生せずにヒータ２１、６１により上下のアーム部材１０、５０が加熱される場合とに切り替えることができる。
【００４５】
図９は、１秒おきにプラスイオンとマイナスイオンとを交互に発生させたときの電圧出力波形を示す。
【００４６】
図１０は、プラスイオンとマイナスイオンとが交互に発生することについて、マイナスイオン発生器の作動時間が長くなるように構成した場合である。図においては、プラスイオン０．４秒とマイナスイオン１．６秒とが交互に発生する印加電圧出力波形が示されている。
【００４７】
図１１は、プラスイオンとマイナスイオンとが交互に発生することについて、プラスイオン発生器の作動時間が長くなるように構成した場合である。図においては、プラスイオン１．６秒とマイナスイオン０．４秒とが交互に発生する印加電圧出力波形が示されている。
【００４８】
上記の設定に限られるものではなく、タイマー調整及びパルス制御によりプラスイオンが発生する時間間隔とマイナスイオンが発生する時間間隔とを適宜変更することができる。
【００４９】
本実施例におけるヘアアイロンＡは、上記のように構成したことにより、当該ヘアアイロンＡを使用して毛髪にイオンを付与することにより、毛髪の酸性度をｐＨ４．５〜５．５の範囲内又は前記数値範囲に近付けることができる。
【００５０】
以上、本考案の実施形態を説明したが、この実施形態は、例として提示したものであり、考案の範囲を限定することは意図していない。この実施形態は、その他の様々な形態で実施されることが可能であり、考案の要旨を逸脱しない範囲で、種々の省略、置き換え、変更を行うことができる。この実施形態やその変形は、考案の範囲や要旨に含まれると同様に、実用新案登録請求の範囲に記載された考案とその均等の範囲に含まれるものである。
【符号の説明】
【００５１】
Ａ………ヘアアイロン
１０……下部アーム部材
１１……下部アームケース
１２……下部アームカバー
２０……下部発熱体
２１……ヒータ
３０……イオン発生器
３１ａ…スリット
３１ｂ…スリット
３２ａ…スリット
３２ｂ…スリット
３３……絶縁体
３４……Ｌ字型放電電極板
３４ａ…電極針
３４ｂ…電極針
３５……Ｔ字型放電電極板
３５ａ…電極針
３５ｂ…電極針
４０……電源手段
４１ａ…プラスイオン発生用トランス
４１ｂ…マイナスイオン発生用トランス
４２……電源基板
５０……上部アーム部材
５１……上部アームケース
５２……上部アームカバー
５３……スイッチ基板
５４……スイッチ操作部
５５……飾りカバー
６０……上部発熱体
６１……ヒータ
【図１】
0003217491.tif 000003
【図２】
0003217491.tif 000004
【図３】
0003217491.tif 000005
【図４】
0003217491.tif 000006
【図５】
0003217491.tif 000007
【図６】
0003217491.tif 000008
【図７】
0003217491.tif 000009
【図８】
0003217491.tif 000010
【図９】
0003217491.tif 000011
【図１０】
0003217491.tif 000012
【図１１】
0003217491.tif 000013